(57)【要約】【課題】就寝者に閉鎖空間による圧迫感を与えることなく、部位別の快適性に適した「頭寒足熱」の温度分布を形成することである。【解決手段】空調システム（1）は、就寝室（R）の空気調和を行う室内空調装置（10）と、就寝者が就寝するベッド（15）と、ベッド（15）のヘッドボード（20）に収納された頭側空調装置（30）と、コントローラ（100）とを備えている。コントローラ（100）は就寝時に各空調装置（10,30）の運転制御を行う就寝運転部（101）を備えている。就寝運転部（101）は、室内空調装置（10）が、「足熱」に適した設定温度Ｔｆの調和空気を就寝室（R）に供給するように制御を行う一方、頭側空調装置（30）が、設定温度Ｔｆより所定温度Δｔ低い温度（Ｔｆ−Δｔ）の調和空気を就寝者の頭側に供給するように制御する。【選択図】図４
2007215909.tif 000002
【特許請求の範囲】
【請求項１】
就寝者が就寝する就寝室（R）の空気調和を行う室内空調手段（10）と、
上記就寝者の頭側に配置され、就寝者の頭側の局所的な空気調和を行う頭側空調手段（30）と、
上記就寝室（R）において就寝者の頭側の温度が局所的に低くなるように、少なくとも上記頭側空調手段（30）を制御する制御手段（101）とを備えている
ことを特徴とする空調システム。
【請求項２】
請求項１において、
上記頭側空調手段（30）は、調和空気を供給するための吹出口（42a）と、上記吹出口（42a）の下方に配置されて空気を吸い込む吸込口（43b）とを備えている
ことを特徴とする空調システム。
【請求項３】
請求項１において、
上記就寝室（R）には、就寝者が就寝するためのベッド（15）が設置され、
上記頭側空調手段（30）は、上記ベッド（15）に収納されている
ことを特徴とする空調システム。
【請求項４】
請求項１において、
就寝者の脚側に配置され、就寝者の脚側を覆う覆い部材（110）を備えている
ことを特徴とする空調システム。
【請求項５】
請求項１において、
就寝者の脚側に配置され、就寝者の脚側を加温する加温手段（115）を備えている
ことを特徴とする空調システム。
【発明の詳細な説明】
【技術分野】
【０００１】
本発明は、空調システムに関し、特に、就寝時の空調対策に係るものである。
【背景技術】
【０００２】
従来から、就寝空間において、人体の部位別の快適性に適した「頭寒足熱」の温度分布を形成する空気調和を行う空調システムが検討されている（例えば、特許文献１）。
【０００３】
特許文献１の睡眠カプセルは、カプセル本体と頭部空調系統と脚部空調系統とを備えている。該カプセル本体は、床台と床台の前部に形成された頭部板と床台の後部に形成された脚部板と床台の両側部と上方を覆う覆い部材とを備えている。上記各空調系統は、カプセル本体の床台に収納されている。
【０００４】
床台の前端部には、頭部空調系統の給気口及び還気口が形成され、頭部板には、上記前端部の給気口に連通する吹出口及び還気口と連通し且つ上記吹出口の下方に配置された吸込口が形成されている。一方、床台の後端部には、脚部空調系統の給気口及び還気口が形成され、脚部板には、上記後端部の給気口に連通する吹出口及び還気口と連通し且つ上記給気口の上方に配置された吸込口が形成されている。
【０００５】
頭部空調系統では、設定温度ＳＴの調和空気が生成され、脚部空調系統では、設定温度ＳＴより４℃高い調和空気が生成される。睡眠カプセル内において、就寝者の頭側では、頭部板の吹出口から吹き出した設定温度ＳＴの調和空気が下方の吸込口に吸い込まれる局所的なショートサーキットが形成される。一方、就寝者の脚側では、脚部板の吹出口から吹き出した設定温度ＳＴより４℃高い調和空気が上方の吸込口に吸い込まれる局所的なショートサーキットが形成される。このようにして、睡眠カプセル内では、就寝者の部位別の快適性に適した「頭寒足熱」の温度分布が形成される。
【特許文献１】特開２００３−２３２５３７号公報
【発明の開示】
【発明が解決しようとする課題】
【０００６】
しかしながら、上記特許文献１の睡眠カプセルでは、就寝者が覆い部材で覆われたカプセル内で就寝するために、狭い閉鎖空間が苦手な就寝者にとっては、カプセルの閉鎖空間により心理的な圧迫感を感じてしまうという問題点があった。そこで、覆い部材を取り除くと、従来の脚部空調系統では能力が不十分であるために就寝者の脚側が「足熱」に適した温度に保たれず、「頭寒足熱」の温度分布を形成することができないという問題点があった。
【０００７】
本発明は、かかる点に鑑みてなされたものであり、就寝者に閉鎖空間による圧迫感を与えることなく、部位別の快適性に適した「頭寒足熱」の温度分布を形成する空調システムを提供することを目的とする。
【課題を解決するための手段】
【０００８】
第１の発明は、就寝者が就寝する就寝室（R）の空気調和を行う室内空調手段（10）と、上記就寝者の頭側に配置され、就寝者の頭側の局所的な空気調和を行う頭側空調手段（30）と、上記就寝室（R）において就寝者の頭側の温度が局所的に低くなるように、少なくとも上記頭側空調手段（30）を制御する制御手段（101）とを備えている。
【０００９】
この第１の発明では、上記室内空調手段（10）により就寝室（R）内の空気調和を行う一方、上記頭側空調手段（30）により就寝者の頭側の温度を局所的に低くする空気調和を行う。つまり、就寝者の脚側は、上記室内空調手段（10）の設定温度に保たれる一方、就寝者の頭側は、上記頭側空調手段（30）により就寝者の脚側の温度よりも低くなる。そこで、室内空調手段（10）により、就寝室（R）が「頭寒足熱」の「足熱」に適した温度になるように空気調和を行い、頭側空調手段（30）により、就寝者の頭側が局所的に「頭寒」に適した温度になるように空気調和を行うことにより、睡眠カプセル等の閉鎖空間を設けることなく、就寝者の周辺に人体の部位別な快適性に適した「頭寒足熱」の温度分布を形成する。
【００１０】
第２の発明は、第１の発明において、上記頭側空調手段（30）は、調和空気を供給するための吹出口（42a）と、上記吹出口（42a）の下方に配置されて空気を吸い込む吸込口（43b）とを備えている。
【００１１】
この第２の発明では、就寝者の頭側において、吹出口（42a）から供給された調和空気が下方の吸込口（43b）に吸い込まれる局所的なショートサーキットが形成される。
【００１２】
第３の発明は、第１の発明において、上記就寝室（R）には、就寝者が就寝するためのベッド（15）が設置され、上記頭側空調手段（30）は、上記ベッド（15）に収納されている。
【００１３】
この第３の発明では、上記頭側空調手段（30）は、上記ベッド（15）に収納されているので、頭側空調手段（30）が就寝室（R）内において邪魔になることがない。
【００１４】
また、従来の睡眠カプセルのベッドには、頭側空調手段（30）と脚部の空調手段とが収納されていたが、本発明では、脚部の空調手段を室内空調手段（10）で代用し、ベッド（15）には、頭側空調手段（30）のみを収納することによりベッド（15）の軽量化を図る。
【００１５】
第４の発明は、第１の発明において、就寝者の脚側に配置され、就寝者の脚側を覆う覆い部材（110）を備えている。
【００１６】
この第４の発明では、就寝者の脚側を覆う覆い部材（110）を備えているので、就寝者の脚側が保温されて「頭寒足熱」の温度分布が維持される。また、上記覆い部材（110）は、就寝者の脚側を覆うものであり、就寝者の頭側を含めた就寝者の周辺を全てを覆うものではないので、就寝者は該覆い部材（110）により圧迫感を感じることがない。
【００１７】
第５の発明は、第１の発明において、就寝者の脚側に配置され、就寝者の脚側を加温する加温手段（115）を備えている。
【００１８】
この第５の発明では、就寝者の脚側を加温する加温手段（115）を備えているので、就寝者の脚側が加温され、確実に「頭寒足熱」の温度分布が維持される。
【発明の効果】
【００１９】
上記第１の発明によれば、上記室内空調手段（10）と上記頭側空調手段（30）とを備え、就寝者の頭側の温度を局所的に低くするようにしたために、就寝者の脚側は、上記室内空調手段（10）の設定温度とすることができる一方、就寝者の頭側は、この脚側の温度よりも低くすることができる。これにより、室内空調手段（10）の設定温度を「足熱」に適した設定温度とし、頭側空調手段（30）の設定温度を「頭寒」に適した設定温度とすることにより、睡眠カプセル等の閉鎖空間を設けることなく、就寝者の周辺に人体の部位別な快適性に適した「頭寒足熱」の温度分布を形成することができるので、就寝者は心理的な圧迫感を感じることなく、快適な空調環境で就寝することができる。
【００２０】
また、上記第２の発明によれば、頭側空調手段（30）が、吹出口（42a）と該吹出口（42a）の下方の吸込口（43b）とを備えるようにしたために、就寝者の頭側において、吹出口（42a）から供給された調和空気が下方の吸込口（43b）に吸い込まれる局所的なショートサーキットが形成される。これにより、就寝者の頭側を、確実に局所的な低温領域とすることができる。
【００２１】
また、上記第３の発明によれば、上記頭側空調手段（30）は、ベッド（15）に収納されているので、頭側空調手段（30）が就寝室（R）内において邪魔になることがない。
【００２２】
また、従来の睡眠カプセルのベッドでは、頭側空調手段（30）と脚部の空調手段を収納していたが、従来の脚部の空調手段を室内空調手段（10）で代用しているので、ベッド（15）には、頭側空調手段（30）を設けるだけでよく、ベッド（15）の軽量化を図ることができる。
【００２３】
また、上記第４の発明によれば、就寝者の脚側を覆う覆い部材（110）を備えるようにしたために、就寝者の脚側を保温することができるので、確実に「頭寒足熱」の温度分布を形成することができる。
【００２４】
また、覆い部材（110）は、従来の睡眠カプセルのように就寝者の周辺を全てを覆うものではないので、就寝者は上記覆い部材（110）により圧迫感を感じることがない。
【００２５】
また、上記第５の発明によれば、就寝者の脚側を加温する加温手段（115）を備えるようにしたために、就寝者の脚側を確実に頭側より高い温度にすることができるので、確実に「頭寒足熱」の温度分布を形成することができる。
【発明を実施するための最良の形態】
【００２６】
以下、本発明の実施形態を図面に基づいて詳細に説明する。
【００２７】
《発明の実施形態１》
図１に示すように、実施形態１の空調システム（1）は、就寝者が就寝する就寝室（R）の空気調和を行う一方、就寝者の頭側の温度が局所的に低くなる空気調和を行う空調システムである。上記空調システム（1）は、室内空調装置（10）とベッド（15）と頭側空調装置（30）とコントローラ（100）とを備えている。
【００２８】
〈室内空調装置〉
上記室内空調装置（10）は、図１に示すように、就寝者が就寝する就寝室（R）の壁面に取り付けられており、該就寝室（R）の空気調和を行うものであり、室内空調手段に構成されている。
【００２９】
〈ベッド〉
上記ベッド（15）は、寝台部（16）とヘッドボード（20）とを備えている。
【００３０】
上記寝台部（16）は、扁平な直方体の台状に形成されている。寝台部（16）の上には、就寝者が横たわるためのマットレス（17）が載せられている。上記マットレス（17）は、上記寝台部（16）の上面の面積よりも一回り小さく形成され、寝台部（16）の上面には、マットレス（17）のより露出した両側スペース（16a）及び脚側スペース（16b）が形成されている。
【００３１】
上記ヘッドボード（20）は、上記寝台部（16）の頭側の端部に立設されている。上記ヘッドボード（20）は、横長の扁平な矩形の箱形に形成され、前面板（21）と背面板（22）と側面板（23）と上面板（25）と下面板（24）とを備えている。
【００３２】
また、前面板（21）には、第１通風グリル（21a）が設けられ、上記背面板（22）の両側には、第２通風グリル（22a）が設けられている。また、上記各側面板（23）の下部には、第３通風グリル（23a）が設けられている。
【００３３】
〈頭側空調装置〉
上記頭側空調装置（30）は、上記ベッド（15）のヘッドボード（20）に収納され、就寝者の頭側の局所的な空気調和を行うものであり、頭側空調手段に構成されている。上記頭側空調装置（30）は、図２及び図３に示すように、ダクト部材（40）とケーシング（50）と頭側空調系統（61）とを備えている。
【００３４】
上記ダクト部材（40）は、上記ヘッドボード（20）内において、上記第１通風グリル（21a）の後方に収納されている。該ダクト部材（40）は、前面が開口し、側面視台形状の扁平な横長の矩形体に形成され、背板（46）と左右の側板（45）と該左右の側板（45）との間に設けられる上側板（41）下側板（43）とを備えている。また、上側板（41）と下側板（43）と間に仕切板（42）が設けられている。
【００３５】
また、上記ダクト部材（40）には、利用側吹出口（42a）及び利用側吸込口（43b）が形成されている。上記利用側吹出口（42a）は、上記仕切板（42）の中央部に横長の長方形状に形成され、調和空気を供給するための吹出口に構成されている。上記利用側吸込口（43b）は、上記下側板（43）の両側部に略正方形状に形成され、空気を吸い込む吸込口（43b）に構成されている。上記上側板（41）の下面には、上記利用側吹出口（42a）に対応した位置に、風向板（41a）が取り付けられている。 また、上記下側板（43）の中央部に中間吹出口（43a）が形成されており、上記仕切板（42）と上記下側板（43）との間には、上記下側板（43）上記利用側吸込口（43b）と上記中間吹出口（43a）とを区画し且つ上記中間吹出口（43a）と上記利用側吹出口（42a）とを連通させる連通板（44）が形成されている
上記ケーシング（50）は、上記ダクト部材（40）の下方の空間に配置される下部ケーシング（52）と、両側方に位置するダクトケーシング（51）とからなり、背面パネル（71）、前面パネル（72）、２つの側面パネル（73）、下面パネル（74）、２つのカバーパネル（76）及び上面パネル（75）を備えている。
【００３６】
上記下部ケーシング（52）は、ヘッドボード（20）の下部に収納され、内部に頭側空調系統（61）が収納されており、下面パネル（74）の下面には脚部（74a）が設けられている。上記ダクトケーシング（51）は、下部ケーシング（52）の両側部の上方に設けられ、側面パネル（73）の上部とカバーパネル（76）とによって形成されている。そして左右のダクトケーシング（51）の間には、下部ケーシング（52）に載置された状態で、ダクト部材（40）が設けられている。
【００３７】
上記背面パネル（71）の上部の両側には、上記背面板（22）の第２通風グリル（22a）対応した位置に排熱側吸込口（71a）が形成され、該吸込口（71a）はフィルタ等が配置されている。上記側面パネル（73）の下部には、上記側面板（23）の第３通風グリル（23a）に対応した排熱側吹出口（73a）が形成されている。
【００３８】
上記上面パネル（75）は、上記ダクト部材（40）の下側板（43）と略同じ形状に形成され、中央に上記下側板（43）の中間吹出口（43a）に対応する第１開口（75a）が、両側に上記下側板（43）の利用側吸込口（43b）に対応する第２開口（75b）がそれぞれ形成されている。
【００３９】
上記ケーシング（50）では、下部ケーシング（52）内の上面パネル（75）の鉛直下方の空間が利用側通路（83）を構成し、上記下部ケーシング（52）内の両側部及び上記ダクトケーシング（51）内の空間が排熱側通路（84）を構成している。
【００４０】
上記頭側空調系統（61）は、２つの熱源ユニット（90）と利用側ファン（95）と２つの排熱側ファン（96）とを備えている。
【００４１】
上記各熱源ユニット（90）は、いわゆるペルチェ素子からなる熱源（91）を備えている。該各熱源（91）は、上面パネル（75）の両端から鉛直下方に延びるように配置され、利用側通路（83）と排熱側通路（84）とを区画している。また、上記各熱源（91）では、該利用側通路（83）に面した熱面が冷却面（91a）、排熱側通路（84）に面した熱面が加熱面（91b）となるように構成されている。
【００４２】
上記熱源ユニット（90）では、上記熱源（91）の冷却面（91a）に利用側熱交換部（92）が、加熱面（91b）に排熱側熱交換部（93）が設けられている。つまり、上記利用側熱交換部（92）は、上記利用側通路（83）における上面パネル（75）の第２開口（75b）の下方に配置され、上記排熱側熱交換部（93）は、排熱側通路（84）に配置されている。上記利用側熱交換部（92）及び排熱側熱交換部（93）の詳細な構成については図示を省略するが、熱源（91）の各熱面（91a,91b）と同じ大きさに形成されて該熱源（91）を挟み込む台座と該台座から突出した複数のフィン群とをそれぞれ備えている。
【００４３】
また、上記各熱源ユニット（90）と上記下面パネル（74）の間には、蒸散板ユニット（94）が配置されている。該蒸散板ユニット（94）は、ドレン回収部（94a）と蒸散部（94b）とを備えている。上記ドレン回収部（94a）は、利用側熱交換部（92）の下方に配置され、該利用側熱交換部（92）で発生したドレンを回収するものである。上記蒸散部（94b）は、複数の蒸散板（94d）を備えている。該蒸散板（94d）は、吸収部材を多孔質状で波形のシート状に形成にしたものであり、上記ドレン回収部（94a）で回収されたドレンを吸収するものである。上記蒸散板（94d）は、上記排熱側熱交換部（93）の下方において、背面パネル（71）から前面パネル（72）にかけて前後に並ぶように配置されている。また、上記ドレン回収部（94a）と蒸散部（94b）との間には、板状の仕切部（94c）が設けられている。上記仕切部（94c）は、熱源ユニット（90）の熱源（91）の下方に位置し、上記利用側通路（83）と排熱側通路（84）とを区画している。また、上記蒸散板ユニット（94）では、ドレン回収部（94a）と蒸散部（94b）とが、それぞれの下端部で連通し、ドレン回収部（94a）で回収されたドレンが、蒸散板（94d）の下端から吸収される。
【００４４】
上記利用側ファン（95）は、利用側通路（83）において各利用側熱交換部（92）の間に配置されている。一方、上記排熱側ファン（96）は、排熱側通路（84）における蒸散板ユニット（94）の蒸散部（94b）と排熱側吹出口（73a）の間に設けられている。このように、上記下部ケーシング（52）内で、各機器（90,95,96）が横方向に並ぶように配置されている。
【００４５】
また、側面パネル（73）には、該排熱側ファン（96）の上方に断熱材（78）が取り付けられている。該断熱材（78）は、上記排熱側熱交換部（93）と側面パネル（73）の間に介在して排熱側熱交換部（93）の熱がケーシング（50）外に伝わらないようにするためのものである。なお、ケーシング（50）では、各パネル（71,72,73,74）の内側に、このようなケーシング（50）の内外での熱の出入りを遮断する断熱材が適宜配置されている。
【００４６】
〈コントローラ〉
上記コントローラ（100）は、上記室内空調装置（10）と頭側空調装置（30）の運転制御を行うものであり、就寝運転部（101）と通常運転部（102）とを備えている。
【００４７】
上記就寝運転部（101）は、就寝時に就寝室（R）における就寝者の頭側の温度が局所的に低くなるように、上記室内空調装置（10）及び頭側空調装置（30）の制御を行うものであり、制御手段に構成されている。上記就寝運転部（101）は、就寝者等の入力により「頭寒足熱」の「足熱」に適した設定温度Ｔｆ（例えば、３０℃）及び上記設定温度Ｔｆより所定温度Δｔ（例えば、４℃）低く「頭寒」に適した所定の低温度（Ｔｆ−Δｔ）（例えば、２６℃）が入力されており、就寝室（R）が上記設定温度Ｔｆとなるように室内空調装置（10）の制御を行うと共に、就寝者の頭側が上記所定の低温度（Ｔｆ−Δｔ）となるように頭側空調装置（30）の制御を行うように構成されている。
【００４８】
なお、就寝時の就寝室（R）の設定温度Ｔｆ及び所定温度Δｔは、特に限定されず、さらに、就寝中に設定温度Ｔｆ及び所定温度Δｔを時間の経過と共に変化するようにしてもよい。
【００４９】
上記通常運転部（102）は、就寝以外の目的で就寝室（R）を使用する際に、就寝室（R）の温度が、入力などに設定された設定温度（T0）となるように室内空調装置（10）の制御を行うものである。
【００５０】
−運転動作−
次に、上記空調システム（1）の動作について、図２から図４に基づいて説明する。
【００５１】
就寝者の就寝が開始すると、上記コントローラ（100）の就寝運転部（101）により上記室内空調装置（10）及び上記頭側空調装置（30）の運転制御が開始する。
【００５２】
室内空調装置（10）は、上記就寝運転部（101）の制御により、「足熱」に適した設定温度Ｔｆの調和空気を生成し、該調和空気を就寝室（R）に供給する。これにより、就寝室（R）の温度が上記設定温度Ｔｆに保たれる。
【００５３】
一方、上記頭側空調装置（30）は、上記就寝運転部（101）の制御により、所定の低温度（Ｔｆ−Δｔ）の調和空気を生成し、該調和空気を就寝者の頭側に供給する。
【００５４】
具体的に、図２から図４の実線矢印で示すように、頭側空調装置（30）では、就寝者の頭側の空気が、ヘッドボード（20）の第１通風グリル（21a）を介してダクト部材（40）の利用側吸込口（43b）から下部ケーシング（52）内に取り込まれ、熱源ユニット（90）の利用側熱交換部（92）で冷却されて所定の低温度（Ｔｆ−Δｔ）の調和空気に生成される。該調和空気は、利用側ファン（95）を通過し、ダクト部材（40）の利用側吹出口（42a）から就寝者の頭側上方に向かって流出する。流出した調和空気は、図４の実線矢印に示すように、上記就寝者の頭側の上方から下方に広がるように流れて上記ダクト部材（40）の利用側吸込口（43b）から再び吸い込まれる。つまり、就寝者の頭側では、所定の低温度（Ｔｆ−Δｔ）の調和空気のショートサーキット領域が形成される。これにより、就寝者の頭側は、確実に所定の低温度（Ｔｆ−Δｔ）に保たれる。
【００５５】
このように、上記室内空調装置（10）により、就寝者の脚側を含む就寝室（R）の殆どの領域が上記設定温度Ｔｆに保たれる一方、上記頭側空調装置（30）により、就寝者の頭側が局所的に所定の低温度（Ｔｆ−Δｔ）に保たれ、就寝者の周辺には「頭寒足熱」の温度分布が形成される。
【００５６】
また、上記頭側空調装置（30）の排熱側通路（84）では、図２から図４の点線矢印で示すように、就寝室（R）の空気がヘッドボード（20）の背面板（22）の第２通風グリル（22a）を介して排熱側吸込口（71a）から取り込まれ、上記排熱側熱交換部（93）で加熱処理される。加熱された空気は、蒸散板ユニット（94）の蒸散板（94d）の間を流れて、蒸散板（94d）が吸収したドレンを蒸散させる。その後、加熱処理された空気は、蒸散させたドレンの水蒸気と共に排熱側ファン（96）を通って排熱側吹出口（73a）から流出し、ヘッドボード（20）の側面板（23）の第３通風グリル（23a）から流出する。
【００５７】
−実施形態１の効果−
上記空調システム（1）では、上記室内空調装置（10）により就寝室（R）を「足熱」に適した設定温度Ｔｆにする一方、上記頭側空調装置（30）により就寝者の頭側を局所的に上記設定温度Ｔｆより低い温度（Ｔｆ−Δｔ）とするようにしたために、睡眠カプセル等の閉鎖空間を設けることなく、就寝者の周辺に人体の部位別な快適性に適した「頭寒足熱」の温度分布を形成することができる。これにより、就寝者は心理的な圧迫感を感じることなく、快適な空調環境で就寝することができる。
【００５８】
また、頭側空調装置（30）のダクト部材（40）には、利用側吹出口（42a）の下方に利用側吸込口（43b）を形成したために、就寝者の頭側に所定の低温度（Ｔｆ−Δｔ）の調和空気のショートサーキット領域を形成することができる。これにより、就寝者の頭側を確実に局所的な低温領域とすることができる。
【００５９】
また、上記頭側空調装置（30）を、ベッド（15）に収納したために、頭側空調装置（30）が就寝室（R）内において邪魔になることがない。そして、本発明では、従来の睡眠カプセル等のベッド収納していた脚側の空調装置を室内空調装置（10）で代用しているので、ベッドには、頭側空調装置（30）を設けるだけでよく、ベッド（15）の軽量化を図ることができる。
【００６０】
−実施形態１の変形例−
本実施形態は、上記実施形態１の就寝運転部（101）が、室内空調装置（10）及び頭側空調装置（30）の運転制御を行ったことに代わり、就寝運転部（101）が、室内空調装置（10）の運転制御を行わず、頭側空調装置（30）のみを制御するようにしたものである。そして、室内空調装置（10）は、通常運転部（102）により、就寝室（R）が就寝者等により適宜設定された設定温度Ｔとなるように空気調和を行う。
【００６１】
具体的に、就寝開始時に、通常運転部（102）には、就寝者等の好み等により「足熱」に適した所定の第１設定温度Ｔ１（例えば、３０℃）が入力される。上記通常運転部（102）は、室内空調装置（10）が就寝室（R）に第１設定温度Ｔ１の調和空気を供給するように制御する。
【００６２】
一方、通常運転部（102）は、第１設定温度Ｔ１が入力されると、該第１設定温度Ｔ１の通知信号を出力し、該通知信号が就寝運転部（101）に入力される。これにより、上記就寝運転部（101）は、頭側空調装置（30）が、就寝者の頭側に第１設定温度Ｔ１より所定温度Δｔ低い温度（Ｔ１−Δｔ）（例えば、２６℃）の調和空気を供給するように制御する。
【００６３】
ここで、就寝者が就寝中に暑さを感じる等して、通常運転部（102）に第１設定温度Ｔ１より低い第２設定温度Ｔ２（例えば、２９℃）が入力されると、通常運転部（102）は、室内空調装置（10）が就寝室（R）に第２設定温度Ｔ２の調和空気を供給するように制御する。一方、就寝運転部（101）には、通常運転部（102）から出力された第２設定温度Ｔ２の通知信号が入力され、上記就寝運転部（101）は、頭側空調装置（30）が、就寝者の頭側に第２設定温度Ｔ２より所定温度Δｔ低い温度（Ｔ２−Δｔ）（例えば、２５℃）の調和空気を供給するように制御する。
【００６４】
また、就寝者が就寝中に寒さを感じる等して、通常運転部（102）に第１設定温度Ｔ１より高い第３設定温度Ｔ３（例えば、３１℃）が入力されると、通常運転部（102）は、室内空調装置（10）が就寝室（R）に第３設定温度Ｔ３の調和空気を供給するように制御する。一方、就寝運転部（101）には、通常運転部（102）から出力された第３設定温度Ｔ３の通知信号が入力され、上記就寝運転部（101）は、頭側空調装置（30）が、就寝者の頭側に第３設定温度Ｔ３より所定温度Δｔ低い温度（Ｔ３−Δｔ）（例えば、２７℃）の調和空気を供給するように制御する。
【００６５】
このようにして、就寝室（R）は、就寝者等により設定される設定温度Ｔに保たれる一方、就寝者の頭側は、設定温度Ｔよりも所定温度Δｔ低い温度（Ｔ−Δｔ）とすることができる。つまり、就寝者の脚側は設定温度Ｔに保たれ、就寝者の頭側は、温度（Ｔ−Δｔ）に保たれ、「頭寒足熱」の温度分布が形成される。
【００６６】
なお、就寝運転部（101）は、通常運転部（102）から設定温度Ｔの信号が入力されることなく、頭側空調装置（30）を制御するようにしてもよい。
【００６７】
例えば、通常運転部（102）が、室内空調装置（10）の運転制御を行う一方、就寝室（R）内には、図示しない室内温度計が設けられ、就寝運転部（101）は、頭側空調装置（30）が上記室内温度計の測定温度Ｔ’よりも所定温度Δｔ低い温度（Ｔ’−Δｔ）の調和空気を供給するように制御してもよい。また、就寝運転部（101）は、就寝者の頭側が、就寝者等の入力により設定された所定の低温度（Ｔ−Δｔ）となるように、頭側空調装置（30）を制御してもよい。つまり、予め就寝者等により、通常運転部（102）には設定温度Ｔが入力される一方、就寝運転部（101）には上記設定温度Ｔより低い温度（Ｔ−Δｔ）が入力される。そして、就寝運転部（101）は、頭側空調装置（30）が就寝者の頭側に入力により設定された所定の低温度（Ｔ−Δｔ）の調和空気を供給するように制御してもよい。
【００６８】
その他の構成、作用及び効果は実施形態１と同じである。
【００６９】
《発明の実施形態２》
実施形態２の空調システム（1）は、図５に示すように、上記実施形態１の構成に加え、就寝者の脚側を覆う覆い部材（110）と電気ヒータ（115）とを備えたものである。
【００７０】
上記覆い部材（110）は、カバー板本体（111）とカバー側板（112）とを備えている。上記カバー板本体（111）は、断面形状が略逆Ｌ字型の板状に形成され、一端が寝台部（16）の脚側スペース（16b）に立設する一方、他端が就寝者の脚側上方まで延びている。上記各カバー側板（112）は、寝台部（16）の両側スペース（16a）における就寝者の脚側に立設して、上端及び脚側端部が上記カバー板本体の両側と連結されている。また、カバー板本体（111）の他端には、カーテン（113）が垂下されている。
【００７１】
上記覆い部材（110）には、カバー板本体（111）の内面に電気ヒータ（115）が設けられている。上記電気ヒータ（115）は、通電されることにより覆い部材（110）内部を加温するものであり、加温手段に構成されている。
【００７２】
なお、覆い部材（110）を構成するカバー板本体（111）とカバー側板（112）とカーテン（113）の素材は、特に限定されないが、断熱材から構成したり、断熱シートを貼付する等して電気ヒータ（115）の熱が覆い部材（110）の外部に逃げないようにすることが好ましい。
【００７３】
本実施形態では、空調システム（1）が電気ヒータ（115）を備えるようにしたために、就寝者の脚側を確実に所定の高温度にすることができる。さらに、就寝者の脚側のみ覆う覆い部材（110）を備えるようにしたために、就寝者は該覆い部材（110）により圧迫感を感じることがなく、電気ヒータ（115）により加温された脚側の空気を保温することができるので、就寝者の脚側を所定の高温度に維持することができる。このように、人体の部位別の快適性に対応した「頭寒足熱」の温度分布を確実に保つことができる。
【００７４】
その他の構成、作用及び効果は実施形態１と同じである。
【００７５】
−実施形態２の変形例−
本実施形態は、上記実施形態２が、就寝者の脚側を覆う専用の覆い部材（110）を設けたことに代わり、覆い部材（110）をベッド机（120）とカーテン（125）とで構成したものである。
【００７６】
具体的に、本実施形態のベッド（15）は、ベッド机（120）を備えている。該ベッド机（120）は、通常は、ベッド（15）に座って食事や読書等をする際に机として使用されるものであり、通常使用時には、寝台部（16）の長手方向の中央部に配置されている。
【００７７】
上記ベッド机（120）は、天板（121）と机脚部（122）とを備えている。上記天板（121）は、該寝台部（16）の幅長さよりやや長い横長の板状に形成され、寝台部（16）の上方に、寝台部（16）の幅方向に延びるように配置されている。上記机脚部（122）は、上記天板（121）の両端部から下方に延びて、寝台部（16）の両側の床面まで達しており、該机脚部（122）の下端にはキャスター（123）が取り付けられている。
【００７８】
就寝時には、上記ベッド机（120）は、寝台部（16）の脚側に移動され、天板（121）にカーテン（125）が掛けられる。このように、本実施形態では、就寝者の脚側が、ベッド机（120）とカーテン（125）からなる覆い部材（110）に覆われ、専用の覆い部材（110）を設けることなく、就寝者の脚側を保温することができる。
【００７９】
なお、本実施形態においても、上記実施形態２と同様に、電気ヒータ（115）などの加温手段を設けても良い。この場合、天板（121）の下面に設けても良いし、マットレス（17）上面又は内部に設ける等してもよい。
【００８０】
その他の構成、作用及び効果は実施形態２と同じである。
【００８１】
《その他の実施形態》
上記実施形態については、以下のような構成としてもよい。
【００８２】
上記実施形態１において、頭側空調装置（30）は、ダクト部材（40）をケーシング（50）と別体に構成したが、ダクト部材（40）とケーシング（50）とを一体に形成してもよい。
【００８３】
また、上記実施形態１では、頭側空調装置（30）のケーシング（50）及び該ケーシング（50）内の頭側空調系統（61）をベッド（15）のヘッドボード（20）に収納したが、寝台部（16）に収納してもよい。
【００８４】
さらに、上記頭側空調装置（30）は、ベッド（15）に収納されているが、これは第３の発明の限定事項であり、第１の発明における頭側空調手段は、ベッド（15）に収納されたものに限定されない。つまり、就寝者が就寝室（R）の床に布団等を直接敷いて就寝する場合は、就寝室の頭側に実施形態１のベッド（15）のヘッドボード（20）のような形態（ベッド（15）から寝台部（16）を取り外した状態のもの）の頭側空調装置（30）を設置すればよい。また、この場合、就寝者の頭の高さに合わせて吹出口と吸込口の高さを適宜変更したものを用いてもよいし、頭側空調系統（61）の構成や配置などを適宜変更してもよい。
【００８５】
また、上記実施形態１では、室内空調装置（10）は就寝室（R）の壁面に取り付けられていたが、構成は特に限定されず、例えば、天井埋込型の室内空調装置であってもよい。
【００８６】
なお、以上の実施形態は、本質的に好ましい例示であって、本発明、その適用物、あるいはその用途の範囲を制限することを意図するものではない。
【産業上の利用可能性】
【００８７】
以上説明したように、本発明は、就寝時の空調を行う空調システムについて有用である。
【図面の簡単な説明】
【００８８】
【図１】実施形態１に係る空調システムの概要を示す概略構成図である。
【図２】実施形態１に係る頭側空調装置の構成及び空気の流れを示す図であり、（ａ）が前面パネルとカバーパネルを取り外した状態における前面視、（ｂ）が側面視である。
【図３】実施形態１に係る頭側空調装置の構成及び空気の流れを示す図であり、ダクト部材とケーシングとを分離した状態における斜視図である。
【図４】実施形態１に係る空調システムの動作を示す図である。
【図５】実施形態２に係る空調システムの概要を示す概略構成図である。
【図６】実施形態２の変形例に係る空調システムの概要を示す概略構成図である。
【符号の説明】
【００８９】
1  空調システム
10  室内空調装置（室内空調手段）
15  ベッド
30  頭側空調装置（頭側空調手段）
42a 利用側吹出口（吹出口）
43b 利用側吸込口（吸込口）
101  就寝運転部（制御手段）
110  覆い部材
115  電気ヒータ（加温手段）
R  就寝室
【図１】
2007215909.tif 000003
【図２】
2007215909.tif 000004
【図３】
2007215909.tif 000005
【図４】
2007215909.tif 000006
【図５】
2007215909.tif 000007
【図６】
2007215909.tif 000008